(57)【要約】【課題】コンピュータの高速ブートのためのシステム及び方法を提供する。【解決手段】ユーザは、瞬時ＯＮ電源キーを選択し、コンピュータをして高速ブートに対して以前に提供されたものよりも多くの機能を有する瞬時ＯＮのＯ．Ｓ．を高速にブートさせることができる。瞬時ＯＮのＯ．Ｓ．は、「Ｃ」ドライブにアクセスすることができ、ユーザは、ＵＩのホームアイコンに対する画像を選択することができる。ＵＩは、機能カテゴリのアイコンをユーザがカテゴリを選択する頻度によって決められたシーケンスで呈示することができる。ワンクリックファイル共有が提供され、ユーザが要望する場合には、瞬時ＯＮモードにおいて安全なログインも提供される。【選択図】図１
2011222026.tif 000002
【特許請求の範囲】
【請求項１】
プロセッサと該プロセッサによって制御されるコンピュータディスプレイとを保持するハウジングと、
前記ハウジング内のディスクドライブと、
前記ハウジング内の固体メモリと、
前記コンピュータに通電するための前記ハウジング上の少なくとも第１及び第２の電源投入セレクタ要素と、
を含み、
前記第１のセレクタ要素からの信号に応答して、前記プロセッサは、前記ディスクドライブから前記メモリ内に主オペレーティングシステム（Ｏ．Ｓ．）をブートし、前記第２のセレクタ要素からの信号に応答して、該プロセッサは、該主Ｏ．Ｓ．よりも高速なブート時間を有する第２のＯ．Ｓ．をブートし、
前記第２のＯ．Ｓ．を実行する前記プロセッサは、前記ディスクドライブにアクセスすることができ、更に、
前記プロセッサは、カテゴリを表すアイコンの並びを呈示するユーザインタフェース（ＵＩ）を前記ディスプレイ上に呈示し、該並びは、ホームアイコンを含み、該プロセッサは、ユーザが画像を選択することを可能にし、それに応答して、該プロセッサは、該画像を該ホームアイコンとして呈示し、それによって該ホームアイコンの外観を確立し、該プロセッサは、計数期間内でユーザが各カテゴリを選択する回数を判断し、ユーザが対応するカテゴリを選択した回数に従って該並び内の該アイコンを順序付け、該プロセッサはまた、ファイルを共有する要望を示す１回のみの入力アクションに応答して別のコンピュータとのファイル共有を確立し、該プロセッサはまた、安全なログインをユーザのその選択に応答して提供する、
ことを特徴とするコンピュータ。
【請求項２】
前記カテゴリは、無線、ソーシャルネットワーク、環境、設定可能アプリケーション、ゲーム、及びメディアギャラリーを含むことを特徴とする請求項１に記載のコンピュータ。
【請求項３】
前記無線カテゴリは、無線ローカルエリアネットワーク（ＷＬＡＮ）環境、無線ワイドエリアネットワーク（ＷＷＡＮ）環境、及び短距離ｒｆ通信環境をユーザが設定することを可能にするように選択することができることを特徴とする請求項２に記載のコンピュータ。
【請求項４】
前記ソーシャルネットワークカテゴリは、電子メールアプリケーション、ショートメッセージサービスアプリケーション、及びソーシャルネットワークウェブサイトアプリケーションを起動するために入ることができることを特徴とする請求項２に記載のコンピュータ。
【請求項５】
前記環境カテゴリは、ユーザが日付及び時間を入力し、かつ情報を前記ディスプレイ上に呈示する少なくとも人間の言語を定義することを可能にするために入ることができることを特徴とする請求項２に記載のコンピュータ。
【請求項６】
前記設定可能アプリケーションカテゴリは、ユーザが気象ウェブサイト、株式相場ウェブサイト、カレンダー機能に入り、かつワンクリックファイル共有ユーザ定義機能（ＵＤＦ）を定義して呼び出すことを可能にするために入ることができることを特徴とする請求項２に記載のコンピュータ。
【請求項７】
前記ゲームカテゴリは、ウェブベースのゲームアプリケーション及びネットワークゲームアプリケーションを起動することをユーザに選択させるために入ることができることを特徴とする請求項２に記載のコンピュータ。
【請求項８】
前記メディアギャラリーカテゴリは、写真ギャラリーをユーザに対してアクセス可能にするために選択することができることを特徴とする請求項２に記載のコンピュータ。
【請求項９】
前記ホームアイコンのための前記画像は、「記憶画像」又は「カメラ」のユーザ選択を受け取ることによって少なくとも部分的に確立され、「記憶画像」が選択されるのに応答して、前記プロセッサは、記憶画像のリストを呈示し、そのうちの１つは、該ホームアイコンを確立するのにユーザによって選択可能であり、「カメラ」が選択されるのに応答して、該プロセッサは、コンピュータ上のカメラから現在の画像を取得し、かつ該カメラからの該画像を用いて該ホームアイコンを確立することを特徴とする請求項１に記載のコンピュータ。
【請求項１０】
前記プロセッサは、ブート中に前記ディスクドライブ又はそのパーティションをマウントすることにより、かつ該ディスクドライブ又はパーティションを前記第２のＯ．Ｓ．を実行する該プロセッサによってアクセスされる所定のディレクトリにリンクすることにより、該第２のＯ．Ｓ．を実行する間に該ディスクドライブにアクセスすることが有効にされることを特徴とする請求項１に記載のコンピュータ。
【請求項１１】
前記プロセッサは、前記第２のセレクタ要素を用いた初回の電源投入時に、安全なログインを呼び出すか否かを選択するようにユーザに促すＵＩを呈示し、安全なログインを呼び出すという要望を示すユーザ入力に応答して、該プロセッサは、アンロック信号を選択するようにユーザに促し、コンピュータは、該アンロック信号を受け取るまで該第２のセレクタ要素を用いたその後の電源投入時のコンピュータの使用を阻止することを特徴とする請求項１に記載のコンピュータ。
【請求項１２】
ユーザは、前記アンロック信号としてホットキー又は指紋読取（ＦＰＲ）信号を選択することができることを特徴とする請求項１１に記載のコンピュータ。
【請求項１３】
ワンクリックファイル共有信号を受け取るのに応答して、前記プロセッサは、ユーザ入力フォルダ名、パスワードオプション、パスワード、及びアクセスオプションを受け取るように設定されたＵＩを前記ディスプレイ上に呈示し、該プロセッサは、該フォルダ名、パスワードオプション、パスワード、及びアクセスオプションをユーザ定義機能（ＵＤＦ）内にロードし、該プロセッサは、ユーザが１回のみの入力アクションを用いて別のコンピュータとファイルを共有することができるように、該ワンクリックファイル共有信号のその後の受け取り時に該ＵＤＦを実行することを特徴とする請求項１に記載のコンピュータ。
【請求項１４】
前記プロセッサは、計数期間内にユーザが各カテゴリを選択する回数を判断し、かつ高い頻度で選択されるカテゴリを表すアイコンが低い頻度で選択されるカテゴリを表すアイコンよりも行又は列の一端の近くにあるように、ユーザが対応するカテゴリを選択した回数に従って該行又は列内の該アイコンを順序付けることを特徴とする請求項１に記載のコンピュータ。
【請求項１５】
プロセッサと該プロセッサによって制御されるコンピュータディスプレイとを保持するハウジングと、
前記ハウジング内のディスクドライブと、
前記ハウジング内の固体メモリと、
を含み、
前記プロセッサは、カテゴリを表すアイコンの並びを呈示するユーザインタフェース（ＵＩ）を前記ディスプレイ上に呈示し、更に、
前記プロセッサは、計数期間内にユーザが各カテゴリを選択する回数を判断し、かつ高い頻度で選択されるカテゴリを表すアイコンが低い頻度で選択されるカテゴリを表すアイコンよりも前記並びの一端の近くにあるように、ユーザが対応するカテゴリを選択した回数に従って該並び内の該アイコンを順序付ける、
ことを特徴とするコンピュータ。
【請求項１６】
ワンクリックファイル共有信号を受け取るのに応答して、前記プロセッサは、ユーザ入力フォルダ名、パスワードオプション、パスワード、及びアクセスオプションを受け取るように設定されたＵＩを前記ディスプレイ上に呈示し、該プロセッサは、該フォルダ名、パスワードオプション、パスワード、及びアクセスオプションをユーザ定義機能（ＵＤＦ）内にロードし、該プロセッサは、ユーザが１回のみの入力アクションを用いて別のコンピュータとファイルを共有することができるように、該ワンクリックファイル共有信号のその後の受け取り時に該ＵＤＦを実行することを特徴とする請求項１５に記載のコンピュータ。
【請求項１７】
コンピュータに通電するための前記ハウジング上の少なくとも第１及び第２の電源投入セレクタ要素、
を更に含み、
前記第１のセレクタ要素からの信号に応答して、前記プロセッサは、前記ディスクドライブから前記メモリ内に主オペレーティングシステム（Ｏ．Ｓ．）をブートし、前記第２のセレクタ要素からの信号に応答して、該プロセッサは、該主Ｏ．Ｓ．よりも高速なブート時間を有する第２のＯ．Ｓ．をブートし、
前記第２のＯ．Ｓ．を実行する前記プロセッサは、前記ディスクドライブにアクセスすることができる、
ことを特徴とする請求項１５に記載のコンピュータ。
【請求項１８】
プロセッサと該プロセッサによって制御されるコンピュータディスプレイとを保持するハウジングと、
前記ハウジング内のディスクドライブと、
前記ハウジング内の固体メモリと、
を含み、
ワンクリックファイル共有信号を受け取るのに応答して、前記プロセッサは、ユーザ入力フォルダ名、パスワードオプション、パスワード、及びアクセスオプションを受け取るように設定されたＵＩを前記ディスプレイ上に呈示し、該プロセッサは、該フォルダ名、パスワードオプション、パスワード、及びアクセスオプションをユーザ定義機能（ＵＤＦ）内にロードし、該プロセッサは、ユーザが１回のみの入力アクションを用いて別のコンピュータとファイルを共有することができるように、該ワンクリックファイル共有信号のその後の受け取り時に該ＵＤＦを実行する、
ことを特徴とするコンピュータ。
【請求項１９】
コンピュータに通電するための前記ハウジング上の少なくとも第１及び第２の電源投入セレクタ要素、
を更に含み、
前記第１のセレクタ要素からの信号に応答して、前記プロセッサは、前記ディスクドライブから前記メモリ内に主オペレーティングシステム（Ｏ．Ｓ．）をブートし、前記第２のセレクタ要素からの信号に応答して、該プロセッサは、該主Ｏ．Ｓ．よりも高速なブート時間を有する第２のＯ．Ｓ．をブートし、
前記第２のＯ．Ｓ．を実行する前記プロセッサは、前記ディスクドライブにアクセスすることができる、
ことを特徴とする請求項１８に記載のコンピュータ。
【請求項２０】
前記プロセッサは、カテゴリを表すアイコンの並びを呈示するユーザインタフェース（ＵＩ）を前記ディスプレイ上に呈示し、更に、
前記プロセッサは、計数期間内にユーザが各カテゴリを選択する回数を判断し、かつ高い頻度で選択されるカテゴリを表すアイコンが低い頻度で選択されるカテゴリを表すアイコンよりも前記並びの一端の近くにあるように、ユーザが対応するカテゴリを選択した回数に従って該並び内の該アイコンを順序付ける、
ことを特徴とする請求項１８に記載のコンピュータ。
【発明の詳細な説明】
【技術分野】
【０００１】
本出願は、コンピュータの高速ブートのためのシステム及び方法に関する。
【背景技術】
【０００２】
コンピュータユーザが、コンピュータの主オペレーティングシステム（Ｏ．Ｓ．）内で利用可能なオプションを限られた数しか呼び出さないことを望む場合がある状況が発生することを認識した上で、本発明の原理は、いわゆる「瞬時ＯＮ」コンピュータにより、ユーザが、フル機能を有する主Ｏ．Ｓ．がブートされるノーマルブートか、又は機能は少ないがより高速ブートのＯ．Ｓ．が主Ｏ．Ｓ．をブートすることができるものよりも高速にブートされる「瞬時ＯＮ」ブートを選択することを可能にすることができることを理解する。従って、例えば、小規模コンピュータを有するユーザが、コーヒーショップのような社会的環境で「インターネット」をサーフすることしか望まないと予想すると、少機能Ｏ．Ｓ．を走査検索機能しか提供しないように構成することができ、他の機能を提供する主Ｏ．Ｓ．をブートすることを不要にすることによって便利なより迅速なブートを容易にする。
【発明の概要】
【発明が解決しようとする課題】
【０００３】
しかし、本明細書で理解されるように、瞬時ＯＮ機能の多くのユーザは、主Ｏ．Ｓ．を呼び出す長々としたブート時間を招くことなく現時点で主Ｏ．Ｓ．によってのみ提供される機能を望むかもしれない。更に、瞬時ＯＮＯ．Ｓ．は、「インターネット」をサーフする時でさえもユーザの必要性を完全には予想することができない場合があり、従って、例えば、社会的環境でファイル共有を行おうと望むユーザは、瞬時ＯＮＯ．Ｓ．が典型的にコンピュータの「Ｃ」ドライブ（ハードディスクドライブ）へのアクセスを持たないので、一般的にはそれを行うことができない。これら及び他の認識を考慮した上で、本発明の原理を提供する。
【課題を解決するための手段】
【０００４】
コンピュータは、プロセッサと、プロセッサによって制御されるコンピュータディスプレイとを保持するハウジングを含む。ディスクドライブがハウジング内にあり、固体メモリもハウジング内にある。コンピュータに通電するために、少なくとも第１及び第２の電源投入セレクタ要素をハウジング上に配置することができる。第１のセレクタ要素からの信号に応答して、プロセッサは、ディスクドライブからメモリ内に主オペレーティングシステム（Ｏ．Ｓ．）をブートし、第２のセレクタ要素からの信号に応答して、プロセッサは、主Ｏ．Ｓ．よりも高速なブート時間を有する第２のＯ．Ｓ．をブートする。この態様では、第２のＯ．Ｓ．を実行するプロセッサは、ディスクドライブにアクセスすることができる。
【０００５】
また、プロセッサは、カテゴリを表すアイコンの並び（行又は列）を呈示するユーザインタフェース（ＵＩ）をディスプレイ上に呈示する。行は、ホームアイコンを含み、プロセッサは、ユーザが画像を選択することを可能にし、プロセッサは、この選択に応答して画像をホームアイコンとして呈示し、それによってホームアイコンの外観を確立する。更に、プロセッサは、計数期間内でユーザが各カテゴリを選択する回数を判断し、ユーザが対応するカテゴリを選択した回数に従って行（又は列）内のアイコンを順序付ける。また、プロセッサは、ファイルを共有する要望を示す１回のみの入力アクションに応答して別のコンピュータとのファイル共有を確立する。また、プロセッサは、安全なログインをユーザのその選択に応答して提供することができる。
【０００６】
一部の例では、カテゴリは、無線、ソーシャルネットワーク、環境、設定可能アプリケーション、ゲーム、及びメディアギャラリーを含む。無線カテゴリは、ユーザが、無線ローカルエリアネットワーク（ＷＬＡＮ）環境、無線ワイドエリアネットワーク（ＷＷＡＮ）環境、及び短距離ｒｆ通信環境を設定することを可能にするために選択することができる。一方、ソーシャルネットワークカテゴリには、電子メールアプリケーション、ショートメッセージサービスアプリケーション、及びソーシャルネットワークウェブサイトアプリケーションを呼び出すために入ることができる。対照的に、環境カテゴリには、ユーザが、日付及び時間を入力し、情報をディスプレイ上に呈示する少なくとも人間の言語を定義することを可能にするために入ることができる。設定可能アプリケーションカテゴリには、ユーザが、気象ウェブサイト、株式相場ウェブサイト、カレンダー機能に入り、ワンクリックファイル共有ユーザ定義機能（ＵＤＦ）を定義して呼び出すことを可能にするために入ることができる。ゲームカテゴリには、ユーザが、ウェブベースのゲームアプリケーション及びネットワークゲームアプリケーションを起動することを選択することを可能にするために入ることができる。メディアギャラリーカテゴリは、写真ギャラリーをユーザに対してアクセス可能にするために選択することができる。
【０００７】
非限定的な例では、ホームアイコンに対する画像は、少なくとも部分的には「記憶画像」又は「カメラ」のユーザ選択を受け取ることによって確立され、「記憶画像」が選択されるのに応答して、プロセッサは、記憶画像リストを呈示し、そのうちの１つは、ユーザがホームアイコンを確立するのに選択可能である。対照的に、「カメラ」が選択されるのに応答して、プロセッサは、コンピュータ上のカメラから現在の画像を取得し、カメラからの画像を用いてホームアイコンを確立する。
【０００８】
一部の実施では、プロセッサは、ブート中にディスクドライブ又はそのパーティションをマウントし、ディスクドライブ又はパーティションを第２のＯ．Ｓ．を実行するプロセッサによってアクセスされる所定のディレクトリにリンクすることにより、第２のＯ．Ｓ．を実行する間にディスクドライブにアクセスすることが有効にされる。必要に応じて、プロセッサは、安全なログインを呼び出すか否かを選択するようにユーザに促す第２のセレクタ要素を用いた初回の電源投入時にＵＩを呈示することができる。安全なログインを呼び出すという要望を示すユーザ入力に応答して、プロセッサは、アンロック信号を選択するようにユーザに促すことができる。コンピュータは、アンロック信号を受け取るまで第２のセレクタ要素を用いたその後の電源投入時のコンピュータの使用を阻止する。ユーザは、アンロック信号としてホットキー又は指紋読取（ＦＰＲ）信号を選択することができる。
【０００９】
以下に更に示すように、例示的な実施は、ワンクリックファイル共有信号を受け取るのに応答して、ユーザ入力フォルダ名、パスワードオプション、パスワード、及びアクセスオプションを受け取るように設定されたＵＩをディスプレイ上に呈示することを含むことができる。プロセッサは、フォルダ名、パスワードオプション、パスワード、及びアクセスオプションをユーザ定義機能（ＵＤＦ）内にロードし、ユーザが１回のみの入力アクションを用いて別のコンピュータとファイルを共有することができるように、ワンクリックファイル共有信号のその後の受け取り時にＵＤＦを実行する。
【００１０】
更に、プロセッサは、計数期間内でユーザが各カテゴリを選択する回数を判断し、高い頻度で選択されるカテゴリを表すアイコンが、低い頻度で選択されるカテゴリを表すアイコンよりも行の一端の近くにあるように、ユーザが対応するカテゴリを選択した回数に従って行又は列内のアイコンを順序付けるようにプログラムすることができる。
【００１１】
別の態様では、コンピュータは、プロセッサと、プロセッサによって制御されるコンピュータディスプレイとを保持するハウジングを含む。ハウジング内にはディスクドライブがあり、ハウジング内には固体メモリもある。プロセッサは、カテゴリを表す１行のアイコンを呈示するユーザインタフェース（ＵＩ）をディスプレイ上に呈示する。プロセッサは、計数期間内でユーザが各カテゴリを選択する回数を判断し、高い頻度で選択されるカテゴリを表すアイコンが、低い頻度で選択されるカテゴリを表すアイコンよりも行の一端の近くにあるように、ユーザが対応するカテゴリを選択した回数に従って行又は列内のアイコンを順序付ける。
【００１２】
別の態様では、コンピュータは、プロセッサと、プロセッサによって制御されるコンピュータディスプレイとを保持するハウジングを含む。ハウジング内にはディスクドライブがあり、ハウジング内には固体メモリもある。ワンクリックファイル共有信号を受け取るのに応答して、プロセッサは、ユーザ入力フォルダ名、パスワードオプション、パスワード、及びアクセスオプションを受け取るように設定されたＵＩをディスプレイ上に呈示する。プロセッサは、フォルダ名、パスワードオプション、パスワード、及びアクセスオプションをユーザ定義機能（ＵＤＦ）内にロードし、次に、ユーザがＵＩのファイル共有セレクタ要素上のマウスクリックのような１回のみの入力アクションを用いて別のコンピュータとファイルを共有することができるように、ワンクリックファイル共有信号のその後の受け取り時にＵＤＦを実行する。
【００１３】
本発明の詳細は、その構造及び作動の両方に関して、同じ参照番号が同じ部分を指す添付図面を参照することによって最も明快に理解することができる。
【図面の簡単な説明】
【００１４】
【図１】様々な内部構成要素を略示する本発明の原理による例示的コンピュータの斜視図である。
【図２】それぞれのカテゴリが選択された状態の主「瞬時ＯＮ」オペレーティングシステムユーザインタフェース（ＵＩ）の例示的スクリーンショットを示す図である。
【図３】それぞれのカテゴリが選択された状態の主「瞬時ＯＮ」オペレーティングシステムユーザインタフェース（ＵＩ）の例示的スクリーンショットを示す図である。
【図４】それぞれのカテゴリが選択された状態の主「瞬時ＯＮ」オペレーティングシステムユーザインタフェース（ＵＩ）の例示的スクリーンショットを示す図である。
【図５】それぞれのカテゴリが選択された状態の主「瞬時ＯＮ」オペレーティングシステムユーザインタフェース（ＵＩ）の例示的スクリーンショットを示す図である。
【図６】それぞれのカテゴリが選択された状態の主「瞬時ＯＮ」オペレーティングシステムユーザインタフェース（ＵＩ）の例示的スクリーンショットを示す図である。
【図７】それぞれのカテゴリが選択された状態の主「瞬時ＯＮ」オペレーティングシステムユーザインタフェース（ＵＩ）の例示的スクリーンショットを示す図である。
【図８】それぞれのカテゴリが選択された状態の主「瞬時ＯＮ」オペレーティングシステムユーザインタフェース（ＵＩ）の例示的スクリーンショットを示す図である。
【図９】ユーザが「ホーム」画像を選択することを可能にするための例示的論理を示す流れ図である。
【図１０】ユーザによる選択頻度に従って主ＵＩ内のカテゴリを順序付けるための例示的論理を示す流れ図である。
【図１１】ワンクリックファイル共有ユーザ定義機能（ＵＤＦ）を実施するための例示的論理を示す流れ図である。
【図１２】瞬時ＯＮモードにおいて安全なログインを実施するか否か及び如何にして実施するかをユーザが選択することを可能にするための例示的論理を示す流れ図である。
【図１３】瞬時ＯＮログインセッション中にコンピュータの「Ｃ」ドライブ（ＨＤＤ）を利用可能にするための非限定的な例示的論理を示す流れ図である。
【発明を実施するための形態】
【００１５】
最初に図１を参照すると、視覚ディスプレイ１４のような出力デバイスとジョイスティック１８を有するキーボード１６のような入力デバイスとを支持するハウジング１２を含む全体的に１０で表すコンピュータが示されている。マルチタッチを含むタッチスクリーンとすることができる視覚ディスプレイ１４は、ハウジング１２内の１つ又はそれよりも多くのプロセッサ２０によって制御され、プロセッサ２０は、入力デバイスから入力信号を受け取る。また、プロセッサ２０は、ハウジング１２上に装着されたカメラ２２からの画像信号を受け取ることができる。一般的に、プロセッサ２０は、固体メモリによって実施することができるメモリ２４のような様々な有形のコンピュータ可読記憶媒体にアクセスする。また、プロセッサ２０は、光学ディスク及び／又は磁気ディスクベースのストレージ２６にアクセス可能である。一部の実施では、プロセッサ２０は、「ＩＥＥＥ  ８０２．１１」インタフェース、例えば、ＷｉＦｉインタフェース及び／又はＢｌｕｅｔｏｏｔｈインタフェースのようなＷＬＡＮインタフェース２８を用いて無線ローカルエリアネットワーク（ＷＬＡＮ）と通信を行う。また、プロセッサ２０は、符号分割多重アクセス（ＣＤＭＡ）インタフェース、時分割多重アクセス（ＴＤＭＡ）インタフェース、「通信用グローバルシステム（ＧＳＭ）」インタフェース、空間分割多重アクセス（ＳＤＭＡ）インタフェース、直交周波数分割多重アクセス（ＯＦＤＭ）インタフェース、周波数分割多重アクセス（ＦＤＭＡ）インタフェース、長期的進化（ＬＴＥ）インタフェース、及びユニバーサル移動電話システム（ＵＭＴＳ）インタフェース等であるが、これらに限定されない無線ワイドエリアネットワーク（ＷＷＡＮ）インタフェース３０を用いて「インターネット」と通信を行うことができる。衛星からの地理的な位置情報を受信し、その情報をプロセッサ２０に供給するために、ハウジング１２上に全地球測位衛星（ＧＰＳ）受信機を設けることができる。また、指紋読取（ＦＰＲ）３２は、人間の指紋を触知的又は光学的に感知し、それを表す信号をプロセッサ２０に送信することができる。一部の実施形態では、コンピュータ１０がＢｌｕｅｔｏｏｔｈを用いて通信を行うことを可能にするために、更にＢｌｕｅｔｏｏｔｈ送受信機３３が設けられる。
【００１６】
コンピュータ１０は、以下に限定されるものではないが、ノートブックコンピュータ、ラップトップコンピュータ、携帯情報端末、パーソナルコンピュータ、オールインワンコンピュータ、テレビジョン等とすることができる。
【００１７】
図１に示しているように、例示的コンピュータ１０は、ノーマルブートキー３４とクイックブート（又は「瞬時ＯＮ」）ブートキー３６とを含むことができる。一般的に１つ又はそれよりも多くのＤＣバッテリ３８及び／又はＡＣ−ＤＣアダプタからコンピュータの内部構成要素に通電するために、ユーザは、キー３４、３６のいずれかを操作することができる。ノーマルブートキー３４が操作されると、コンピュータ１０は通電され、ディスク２６上に存在するノーマル又はフル機能Ｏ．Ｓ．がメモリ２４内にブートされる。一方、クイックブートキー３６が操作されると、コンピュータ１０は通電され、メモリ上に常駐的に記憶することができ又はディスク２６に記憶することができる、機能が少なく、小さく、使用が限られた「瞬時ＯＮ」Ｏ．Ｓ．が、メモリ２４内での作動状態へと高速にブートされる。このようにして、ユーザは、ノーマルブートキー３４が用いられた場合にコンピュータ１０の使用を始める時に待たされることになる程長くは待たされない。
【００１８】
図２は、クイックブートキー３６を用いた電源投入の直後の瞬時ＯＮのＯ．Ｓ．を実行するプロセッサ２０によってディスプレイ１４上に呈示することができるユーザインタフェース（ＵＩ）４０を示している。図示のように、ＵＩ４０は、「Ｓｏｎｙ  Ｃｏｒｐ．」によって提供されるクロスメディアバー（ＸＭＢ）としてパターン化されるが、「ＸＭＢ」は、「Ｓｏｎｙ  Ｃｏｒｐ．」の商標であることは理解されるものとする。ＵＩ４０は、「ホーム」アイコン４２、「無線設定」アイコン４４、「ソーシャルネットワーク」アイコン４６、「設定可能アプリケーション」アイコン５０、「ゲーム」アイコン５２、「メディアギャラリー」アイコン５４、及び「画像ブラウザ」アイコン５６を含むそれぞれの機能カテゴリを表す水平アイコン行を有する。以下に解説するように、一部の例では、行内でカテゴリアイコンが出現する順序は、ユーザ選択頻度に従って変更することができる。
【００１９】
スクリーンカーソルがカテゴリアイコンの上を移動する時に、強調表示されたカテゴリアイコンの下に垂直サブアイコン列を呈示することができる。従って、図２に示しているように、スクリーンカーソル５８がホームアイコン４２の上に位置決めされた時に、ホームアイコン４２の下にサブアイコン列が示される。「ホーム」サブアイコンは、選択によって瞬時ＯＮモードにあるコンピュータがシャットダウンされ、コンピュータにディスクからノーマルＯ．Ｓ．をリブートさせる「主Ｏ．Ｓ．に移行」サブアイコン６０、選択に対して以下に説明する「Ｃ：ドライブにアクセス」サブアイコン６２、及び選択された場合にコンピュータへの通電を停止するための「電源切断」サブアイコン６４を含むことができる。
【００２０】
図３から図８は、上記に解説したホームカテゴリ以外で選択されたそれぞれのカテゴリを有するＵＩ４０を示している。図３では、カーソル５８は、図示のように「無線」カテゴリアイコン４４を強調表示するように位置決めされている。強調表示されると、無線アイコン４４の下には様々なサブアイコンが出現し、サブアイコンのうちの一部は、続けて選択された場合に更に別のサブサブアイコンを出現させる。
【００２１】
より具体的には、無線アイコン４４が選択されると、無線ローカルエリアネットワーク（ＷＬＡＮ）サブアイコン６６が出現し、図１に示しているＷＬＡＮインタフェースを通じてＷＬＡＮ通信を即座に始めることを可能にする。このサブアイコンが選択されると、様々なＷＬＡＮ機能を確立するのに選択することができる「機能」サブサブアイコン６８が現れる。また、ユーザが、図１に示しているＷＬＡＮインタフェースを用いてＷＬＡＮを通じて友人のＰＤＡ、電話、又はコンピュータのような１つ又はそれよりも多くのターゲット端末とのファイル共有を選択することを可能にするように選択することができるサブサブアイコン７０を出現させることができる。図３には、２つのそのようなターゲット端末を非限定的な例を用いて表すアイコン７２、７４が示されている。ターゲット端末は、ＷＬＡＮ検出原理を用いて自動的に検出することができ、又はユーザによって事前にプログラムすることができる。
【００２２】
また、図１に示しているＷＷＡＮインタフェースを通じてＷＷＡＮ通信を即座に始めることを可能にするために「無線」アイコン４４が選択された場合には、無線ワイドエリアネットワーク（ＷＷＡＮ）サブアイコン７６を出現させることができる。ＷＬＡＮサブアイコン６６と同様に、ＷＷＡＮサブアイコン７６が選択された場合には、様々なＷＷＡＮ機能を確立するように選択することができる「機能」サブサブアイコン７８が出現する。また、ユーザが、図１に示しているＷＷＡＮインタフェースを用いてＷＷＡＮを通じて友人のＰＤＡ、電話、又はコンピュータのような１つ又はそれよりも多くのターゲット端末とのファイル共有を選択することを可能にするように選択することができるサブサブアイコン８０を出現させることができる。図３には、２つのそのようなターゲット端末を表すアイコン８２、８４が示されている。ターゲット端末は、ＷＷＡＮ検出原理を用いて自動的に検出することができ、又はユーザによって事前にプログラムすることができる。
【００２３】
「無線」カテゴリアイコン４４が選択されると、図示のように、Ｂｌｕｅｔｏｏｔｈサブアイコン８６のような短距離ｒｆ通信アイコンを出現させることができる。このサブアイコンが選択されると、図１に示しているＢｌｕｅｔｏｏｔｈ送受信機３３を用いてＢｌｕｅｔｏｏｔｈ通信が即座に確立され、更に１つ又はそれよりも多くの無線構成要素アイコン８８を出現させることができる。例えば、１つの無線構成要素アイコン８８しか示していないが、Ｂｌｕｅｔｏｏｔｈアプリケーションにおける無線マウス機能を起動し、すなわち、プロセッサ２０とＢｌｕｅｔｏｏｔｈを用いる無線マウスの間の通信を始めるために、無線マウスアイコンを出現させることができ、かつそれを選択することができる。無線オーディオヘッドセットとのＢｌｕｅｔｏｏｔｈ通信を始めることを可能にするために、無線ヘッドセットアイコンを呈示することができる。
【００２４】
Ｂｌｕｅｔｏｏｔｈサブアイコン８６に関連付けられた更に別のサブサブアイコンは、選択された場合に、コンピュータ１０と、以下に説明する別のカテゴリから選択することができるターゲットコンピュータとの間で高速Ｂｌｕｅｔｏｏｔｈデータ転送を行うことを可能にする高速データ転送アイコン９０を含むことができる。また、ユーザが１つ又はそれよりも多くのＢｌｕｅｔｏｏｔｈプロフィールを確立することを可能にするＢｌｕｅｔｏｏｔｈプロフィールアイコン９２を出現させることができる。
【００２５】
無線アイコン４４が選択された時に、ＷＬＡＮサブアイコン６６、ＷＷＡＮサブアイコン７６、及びＢｌｕｅｔｏｏｔｈサブアイコン８６に加えて、全地球測位衛星（ＧＰＳ）サブアイコン９４を出現させることができる。ＧＰＳサブアイコン９４が選択されると、図１に示しているＧＰＳ受信機３１によって受信される地理的所在地に基づいて、コンピュータ１０のユーザに対して利用可能なサービスのメニューを呈示するアプリケーションを呼び出すためにユーザがクリックすることができる所在地ベースのサービスサブサブアイコン９６を呈示することができる。また、選択により、コンピュータ１０の位置の近くの催し物の呈示を生成する催し物サブサブアイコン９８を出現させることができる。ＧＰＳサブアイコン９４に関連付けることができる更に別のアイコンは、選択によって例えばＷＬＡＮ又はＷＷＡＮインタフェースによって受信され、コンピュータ１０の現所在地に適合する広告をコンピュータ１０に呈示させることができる近隣ターゲット式広告アイコンを含み、コンピュータへの所在地ベースの広告のダウンロードを助けるために、上述のインタフェースのうちの１つを用いて、コンピュータ１０の現在地点を広告サーバに自動的にアップロードすることができる。また、選択された場合に、ここでもまた、例えば、警告ウェブサイトにアップロードされたコンピュータのＧＰＳ位置に基づいて、近隣の災害又は通行止めをユーザに警告するためのアイコンを設けることができる。
【００２６】
無線アイコン４４に関連付けられた上述のサブアイコンに加えて、多搬送波対応サブアイコン１００及びＷＷＡＮ作動サブアイコン１０２を呈示することができる。これらの各々は、例えば、各々がユーザによって選択可能な無線搬送波を表すサブサブアイコンを呈示することにより、ユーザが電話サービス及びＷＷＡＮサービスそれぞれを提供するための無線搬送波を選択することを可能にする。
【００２７】
図４は、ソーシャルネットワークアイコン４６が選択された時に、ユーザが、サブアイコンのうちの１つを選択することにより、電子メールプログラム、ショートメッセージサービス（ＳＭＳ）プログラム、ＩＰ電話プログラム、ソーシャルネットワークウェブサイトアクセスプログラム（すなわち、１つ又はそれよりも多くのソーシャルネットワークウェブサイトからのウェブページを表示するようにプログラムされたブラウザ）、及び近隣友人推薦プログラムを呼び出すことをそれぞれ可能にするためのサブアイコン１０４〜１１１の列が示されることを示している。近隣友人推奨プログラムは、図１に示している通信インタフェースのうちのいずれかを通じて、例えば、上述のアップロードされたＧＰＳ位置情報で示すコンピュータの近隣の友人からの推薦を受信するために呼び出すことができる。
【００２８】
図５は、設定アイコン４８が選択された時に、ユーザが、サブアイコンのうちの１つを選択することにより、現在の日付及び時間を確立すること（すなわち、サブアイコン１１２が選択された時に、ユーザに日付及び時間を入力するように促す日付／時間ＵＩが示される）、及びキーボード１６の言語及びキー機能を定義することをそれぞれ可能にするためのサブアイコン１１２，１１４の列が示されることを示している。従って、サブアイコン１１４が選択されると、例えば、ドロップダウンメニューから言語を選択し、同じく例えばドロップダウンメニューからキーボードキー機能の組合せを選択するようにユーザを促すＵＩが示される。また、音量、低音、高音のようなオーディオ設定を調節するように選択することができるオーディオ設定アイコン１１３を表示することができ、一方、輝度、コントラストのようなビデオ設定を調節するように選択することができるビデオ設定アイコン１１５を表示することができる。
【００２９】
図６は、設定可能アプリケーションアイコン５０が選択された時に、ユーザが、サブアイコンのうちの１つを選択することにより、カレンダーを呈示するか又は気象ウェブサイト又は株式相場ウェブサイトのウェブページを表示するブラウザをブートすることを選択することをそれぞれ可能にするためにサブアイコン１１６〜１２２の列が示されることを示している。サブアイコン１２２が選択されると、下記の開示内容に従ってワンクリックファイル共有が有効にされる。
【００３０】
図７は、ゲームアイコン５２が選択された時に、ユーザが、サブアイコンのうちの１つを選択することにより、一般及びウェブベースのゲームプログラムを起動すること、及び共有接続を用いたネットワークベースのゲームアプリケーションを起動することをそれぞれ可能にするためのサブアイコン１２４、１２６の列が示されることを示している。
【００３１】
図８は、メディアギャラリーアイコン５４が選択された時に、ユーザが、サブアイコンのうちの１つを選択することにより、写真ギャラリー及びビデオギャラリーを呈示することをそれぞれ可能にするためのサブアイコン１２８、１３０の列が示されることを示している。他のギャラリー及びサブギャラリーを設けることもできる。
【００３２】
「無線」アイコン４４の下で上記に解説したアイコンの全ては、一度に又はそのそれぞれの次に高い次数のアイコンが選択された時にのみ出現させることができることは理解されるものとする。
【００３３】
図９は、ユーザが、図２に示しているホームアイコン４２に対する画像を選択することを可能にするための例示的論理を示している。ブロック１３２で始まり、ホームアイコン上のユーザの選択が受け取られる。ブロック１３４に進み、「現在のカメラ画像」又は「ディスク画像」を選択するようにユーザに促すことができる。判断ブロック１３６でカメラが選択された場合には、図１のカメラ２２が作動され、ブロック１３８においてプロセッサ２０に送られている現在の画像が新しいホームアイコン画像として用いられ、次に、図２に示しているホームアイコン４２として出現する。
【００３４】
一方、判断ブロック１３６において「ディスク画像」が判断結果として選択されると、論理は、ブロック１４０に移動し、コンピュータ１０に記憶された画像を表す画像サムネイルのリスト又はディレクトリをディスプレイ１４上に呈示する。ユーザは、リスト内のエントリをクリックすることができ、ブロック１４２において、ユーザの選択物が新しいホームアイコン画像として用いられ、次に、図２に示しているホームアイコン４２として出現する。
【００３５】
図１０は、カテゴリアイコン４４〜５６が図２に示している水平行内で現れる順序をユーザのカテゴリ選択頻度に応じて動的に確立することができることを示している。ホームアイコン４２が、行内の最も左のアイコンに留まることが好ましいが、必須ではない。図２〜図８に示している順序は、デフォルトの順序とすることができ、この順序は、ブロック１４４で始めて変更することができ、この変更では、ブロック１４６において、プロセッサ２０が、各カテゴリに対してそのカテゴリが何回選択されたかという計数値を保持する。望ましい場合には、主カテゴリアイコンが選択された回数のみが計数される。他の実施形態では、カテゴリアイコンの各選択、及びそのカテゴリに付随するあらゆるサブアイコン又は他のアイコンの各選択が一度計数され、従って、ユーザがカテゴリアイコンを選択し、次に、そのカテゴリ内のサブアイコンを選択し、かつ選択したサブアイコンに付随するサブサブアイコンを選択した時に、主カテゴリアイコンが選択された回数のみが計数される場合には、そのカテゴリにおける計数値は「１」になり、カテゴリアイコンの各選択、及びそのカテゴリに付随するあらゆるサブアイコン又は他のアイコンの各選択が一度計数される場合には「３」になる。
【００３６】
ユーザがコンピュータを用いる時に、各カテゴリにおける計数値は保持され、上述の原理に従ってユーザ選択に応答して増分される。ブロック１４８では、シャットダウン時に又は他の期間で、例えば、数分毎にカテゴリがその計数値によってランク付けされ、次に、ブロック１５０において、これらの計数値に従って水平行又はカテゴリ列上で並べ換えられる。一実施形態では、最も高い計数値を有するカテゴリのアイコンが、ホームアイコンの右隣に位置決めされ、次に、次に最も高い計数値を有するカテゴリのアイコンがその右に位置決めされ、以降同様に続く。代替的に、カテゴリアイコンは、右から左に最も高い計数値から最も低いものへと並べ換えることができる。いずれにしても、例えば、計数期間内に環境カテゴリが２０回、無線カテゴリが１８回、設定可能アプリケーションカテゴリが１６回、ゲームカテゴリが１４回、メディアギャラリーカテゴリが１２回、ソーシャルネットワークカテゴリが１０回、画像閲覧カテゴリが８回、及びメディアギャラリーカテゴリが０回の計数値を受けた場合には、ホームアイコン４２の右隣から始まる左から右への新しいアイコンの順序は、アイコン４８、アイコン４４、アイコン５０、アイコン５２、アイコン５４、アイコン４６、アイコン５６、アイコン５４になる。計数値は、全ての計数期間にわたって累積することができ、又は各計数期間の終了時点でリセットすることができる。
【００３７】
図１１は、上記に解説したワンクリックファイル共有を如何にして設定し、実施するかを示している。ユーザが、図６のワンクリックアイコン１２２を初めて選択すると、ブロック１５２において選択は、プロセッサ２０によって受け取られ、それによってブロック１５４において、プロセッサ２０は、ユーザ入力を受け取るように設定されたＵＩをディスプレイ１４上に呈示する。具体的には、ユーザは、共有すべきフォルダ、パスワードオプション（すなわち、パスワード保護が必要であるか否か、必要に応じてパスワードは何か）、及びアクセスオプション、例えば、ファイル共有がＢｌｕｅｔｏｏｔｈ、ＷＬＡＮ、ＷＷＡＮなどによることになるかをこのＵＩを用いて識別する。これらの選択は、ブロック１５６において受け取られ、ブロック１５８において実行可能ユーザ定義機能（ＵＤＦ）内にロードされる。
【００３８】
ブロック１６０は、ワンクリックアイコン１２２のその後の選択においてブロック１５８で設定されたＵＤＦが実行されることを示している。一般的に、ブロック１５６でパスワード保護が定められた場合には、ユーザは、認可したターゲットユーザに正しいパスワードを伝達していることになる。
【００３９】
ブロック１６２では、更に別の対話なしにファイル共有アプリケーションが自動的に起動され、以降の段階も、更に別のユーザ対話なしにプロセッサ２０によって実施される。パスワード保護及び共有機構は（ブロック１５６においてユーザがパスワード保護を呼び出すという選択が行われた場合）、ブロック１６２においてインスタンス化され、ブロック１６４において適切な通信（ブロック１５６においてユーザによって定められたＷＷＡＮ、ＷＬＡＮ等）が有効にされる。ブロック１６６では、認可されたターゲットユーザが、ブロック１５６においてユーザが定めた正しいパスワードを伝達すると（パスワード保護が有効な場合）、このターゲットユーザに、ブロック１５６で指定された共有フォルダへのアクセスが与えられる。
【００４０】
図１２は、「瞬時ＯＮ」モードでの電源投入時に、ユーザ定義式試験が満たされるまでユーザをロックアウトするか否かをユーザが判断することを可能にするための論理を示している。ユーザが瞬時ＯＮモードで初回の電源投入を行うブロック１６８で始まり、論理は、ブロック１７０に流れ、ユーザが安全な瞬時ＯＮログインを課すことを望むか否かを入力するようにユーザに促すＵＩを呈示する。ユーザが、安全なログインを実施するように判断した場合には、ブロック１７２において、瞬時ＯＮモードでの各その後のログインにおいてどのような試験を実施するかをユーザに問うＵＩが示される。一実施形態では、ユーザは、ホットキー又は正しい指紋入力、及びアンロック信号を選択することができる。
【００４１】
ユーザが指紋を選択した場合には、ブロック１７４において、プロセッサは、ユーザに指を図１に示しているＦＰＲ３２の近く又はその上に移動させるように促す。ＦＰＲ３２からの指紋信号は記録される。一方、ブロック１７２においてユーザが「ホットキー」を選択した場合には、ブロック１７６において、ユーザは、ユーザがホットキーとして指定しようと望む単一のキー（又は複数のキー）を押下するように促される。ユーザの入力は記録される。
【００４２】
ブロック１７８は、ブロック１７０においてユーザが安全なログインを選択した場合に、その後の瞬時ＯＮ電源投入において、ユーザに適切なアンロック信号を入力することを促すロックアウトスクリーンがディスプレイ１４上に示されることを示している。正しいアンロック信号が受け取られるまで、瞬時ＯＮ構成におけるコンピュータ１０のいかなる更に別のアクセス又は使用も許可されず、ロックアウトスクリーンのみが示されている。ブロック１８０においてユーザが正しいロックアウト信号を入力すると、信号は受け取られ、次に、例えば、図２に示しているＵＩ４０をディスプレイ１４上に呈示することにより、コンピュータへのアクセスが瞬時ＯＮモードで有効にされる。
【００４３】
図１３は、瞬時ＯＮモードでディスクドライブ（「Ｃ」ドライブ）２６へのアクセスを有効にするための非限定的な例示的論理を示している。ブロック１８２では、ＭＫＤＩＲ／ＭＮＴ／ＷＩＮ形式のディレクトリが作成され、このディレクトリが「Ｃ」ドライブに関連付けられたディレクトリであることを示している。次に、ブロック１８４では、例えば、瞬時ＯＮのＯ．Ｓ．をブートする一部として、ドライブ又はパーティションは、マウントされ、かつ「ＭＯＵＮＴ−Ｔ  ＶＦＡＴ／ＤＥＶ／ＨＤＡ１／ＭＮＴ／ＷＩＮ」形式の指令を用いて、ブロック１８２で作成されたディレクトリにリンクされる。すなわち、瞬時ＯＮのＯ．Ｓ．は、「Ｃ」ドライブを内部にドライブが論理的にマウントされるフォルダと見なし、作動中にＯ．Ｓ．が「Ｃ」ドライブ上のファイルにアクセスすることを可能にする。
【００４４】
本明細書では、特定の「コンピュータの高速ブートのためのシステム及び方法」を示して詳細に説明したが、本発明によって含まれる主題は、特許請求の範囲による以外は限定されないことは理解されるものとする。
【符号の説明】
【００４５】
１０  コンピュータ
１２  ハウジング
１４  視覚ディスプレイ
１６  キーボード
２０  プロセッサ
【図１】
2011222026.tif 000003
【図２】
2011222026.tif 000004
【図３】
2011222026.tif 000005
【図４】
2011222026.tif 000006
【図５】
2011222026.tif 000007
【図６】
2011222026.tif 000008
【図７】
2011222026.tif 000009
【図８】
2011222026.tif 000010
【図９】
2011222026.tif 000011
【図１０】
2011222026.tif 000012
【図１１】
2011222026.tif 000013
【図１２】
2011222026.tif 000014
【図１３】
2011222026.tif 000015
【外国語明細書】
2011222026.tif 000016
2011222026.tif 000017
2011222026.tif 000018
2011222026.tif 000019
2011222026.tif 000020
2011222026.tif 000021
2011222026.tif 000022
2011222026.tif 000023
2011222026.tif 000024
2011222026.tif 000025
2011222026.tif 000026
2011222026.tif 000027
2011222026.tif 000028
2011222026.tif 000029
2011222026.tif 000030
2011222026.tif 000031
2011222026.tif 000032
2011222026.tif 000033
2011222026.tif 000034
2011222026.tif 000035
2011222026.tif 000036
2011222026.tif 000037
2011222026.tif 000038
2011222026.tif 000039
2011222026.tif 000040
2011222026.tif 000041
2011222026.tif 000042
2011222026.tif 000043
2011222026.tif 000044
2011222026.tif 000045
2011222026.tif 000046
2011222026.tif 000047
2011222026.tif 000048
2011222026.tif 000049